(57)【要約】【課題】  トンネル掘削工事において発生する高含水掘削汚泥，基礎杭工法などの基礎工事で発生する軟弱汚泥，浚渫工事などで発生する軟弱土砂および下水処理場や浄水場で発生する汚泥のような多量の水分を含んだ残土は，生石灰やセメントなどの無機系固化剤を添加混合して，その水和作用および凝結作用を利用して固化処理してきたが，対象となる汚泥水が強アルカリ性であるのに対して無機系固化剤もアルカリ性であるので汚泥水のｐＨが更に高くなり，ｐＨで１１程度となって周辺環境への影響が顕著となっていた。【解決手段】  自然由来の酢液等の酸性溶液を用いた泥水処理工法において、高含水掘削汚泥水に炭等を作る過程で抽出される木酢液，もみがら酢液，魚等を処理する際に抽出される酢液を混合して撹拌することにより，アルカリ性の緩和を図れると同時に当該汚泥水の凝集化により半固形の汚泥を得るようにした構成。【選択図】      図１
2011212514.tif 000002
【特許請求の範囲】
【請求項１】
トンネル掘削工事等の対象地において発生する高含水掘削汚泥水に炭等を作る過程で抽出される木酢液，もみがら酢液，魚等を処理する際に抽出される酢液を混合して撹拌することにより，アルカリ性の緩和を図れると同時に当該汚泥水の凝集化により半固形の汚泥を得ることを特徴とする自然由来の酢液等の酸性溶液を用いた泥水処理工法。
【請求項２】
使用する酢液は，処理する汚泥水に対して容量換算で０.５〜３０.０％混合したものを用いることとし，混合された溶液を攪拌機で処理することによってアルカリ性の緩和と汚泥水の中に含まれているスライムの凝集を行うことができる請求項１記載の自然由来の酢液等の酸性溶液を用いた泥水処理工法。
【請求項３】
自然由来の酢酸は，水分が８０％以上，有機酸含有量が１％以上の資材を利活用する請求項１記載の自然由来の酢液等の酸性溶液を用いた泥水処理工法。
【請求項４】
汚泥水のｐＨを低下させる緩衝資材としての酢液は，ｐＨ(Ｈ2Ｏ)５.０以下で電気伝導度が１.０ｍＳ／ｃｍ以上のものを利活用する請求項１記載の自然由来の酢液等の酸性溶液を用いた汚泥処理工法。
【請求項５】
汚泥水のｐＨを低下させる緩衝資材としての酢液には，粒径がφ＝１ｍｍ以下の固形物しか含まれていないものを利活用する請求項１記載の自然由来の酢液等の酸性溶液を用いた汚泥処理工法。
【請求項６】
汚泥水のｐＨを低下させる緩衝資材としての酢液は，木質系の有機質資材のみならず，魚介類等から抽出した酸性溶液についても利活用する請求項１記載の自然由来の酢液等の酸性溶液を用いた汚泥処理工法。
【請求項７】
対象地に発生する汚泥のｐＨ(Ｈ2Ｏ)の測定結果から，アルカリ緩和に用いる酢液の使用量を調整する請求項１記載の自然由来の酢液等の酸性溶液を用いた汚泥処理工法。
【請求項８】
対象地に発生する汚泥水を凝集して固めるためには，各々の泥水の状態により酢液の混合量を可変することで対応する請求項１記載の自然由来の酢液等の酸性溶液を用いた汚泥処理工法。
【発明の詳細な説明】
【技術分野】
【０００１】
本発明は，泥水加圧シールド工法や泥土圧シールド工法などの地下利用を目的としたトンネル掘削工事において発生する高含水掘削汚泥，基礎杭工法などの基礎工事で発生する軟弱汚泥，浚渫工事などで発生する軟弱土砂および下水処理場や浄水場で発生する汚泥のような多量の水分を含んだ残土は，著しくアルカリ性を示すことから搬送，再利用するのが困難となっていた汚泥水に炭等を作る過程で抽出される木酢液，もみがら酢液，魚等を処理する再に抽出される酸性水を汚泥水に混合して撹拌してアルカリ性を緩和し，同時に汚泥水から半固形の汚泥にできてダンプトラックでの搬出が可能としたものである。
【背景技術】
【０００２】
一般的に泥水加圧シールド工法や泥土圧シールド工法などの地下利用を目的としたトンネル掘削工事において発生する高含水掘削汚泥，基礎杭工法などの基礎工事で発生する軟弱汚泥，浚渫工事などで発生する軟弱土砂および下水処理場や浄水場で発生する汚泥のような多量の水分を含んだ残土は，生石灰やセメントなどの無機系固化剤を添加混合して水和反応で凝結させたり，有機質資材の微生物や発酵の作用を利用して固化処理してきた経緯がある。
【特許文献１】特開２０００−３３３５７３号公報の発明
【特許文献２】特開２０００−４１４７９号公報の発明
【特許文献３】特開２００２−２３８３４８号公報の発明
【特許文献４】特開２００５−３１８８９１号公報の発明
【発明の開示】
【発明が解決しようとする課題】
【０００３】
ところが，上記特許文献１〜４の発明における従来工法では，対象となる汚泥水が強アルカリ性であるのに対して無機系固化剤もアルカリ性であることから，汚泥水のｐＨが更に高くｐＨで１１程度となって周辺環境への影響が顕著となったり，有機質資材の微生物や発酵の効果を利用する場合には処理に時間を要することが問題となっていた。
【０００４】
そこで，本発明では，自然由来のもみがら等の有機質資材を炭化する際に抽出される酸性の酢液を対象となる汚泥に適量混合して撹拌することによって，アルカリ性の緩和（ｐＨの低下）と汚泥水の凝集化の両方が可能となったことにより，従来の課題を解決し，且つ発明の目的を達成するようにしたものである。
【０００５】
本発明の第１は，自然由来の酢液を用いた汚泥水処理工法において，トンネル掘削工事等の対象地において発生する高含水掘削汚泥水に炭等を作る過程で抽出される木酢液，もみがら酢液，魚等を処理する際に抽出される酢液を混合して撹拌することにより，アルカリ性の緩和を図れると同時に当該汚泥水の凝集化により半固形の汚泥を得る用にしたものである。
【０００６】
本発明の第２は，第１の発明に係る自然由来の酢液を用いた汚泥水処理工法において，使用する酢液は，処理する汚泥水に対して容量換算で０.５〜３０.０％混合したものを用いることとし，混合された溶液を攪拌機で処理することによってアルカリ性の緩和と汚泥水の中に含まれている泥状・粘液状のぬるぬるしたスライムの凝集を行うようにしたものである。
【０００７】
本発明の第３は，第１の発明に係る自然由来の酢液を用いた汚泥水処理工法において，自然由来の酢酸は，水分が８０％以上，有機酸含有量が１％以上の資材を利活用するようにしたものである。
【０００８】
本発明の第４は，第１の発明に係る自然由来の酢液を用いた汚泥水処理工法において，汚泥水のｐＨを低下させる緩衝資材としての酢液は，ｐＨ(Ｈ2Ｏ)５.０以下で電気伝導度が１.０ｍＳ／ｃｍ以上のものを利活用するようにしたものである。
【０００９】
本発明の第５は，第１の発明に係る自然由来の酢液を用いた汚泥水処理工法におい，汚泥水のｐＨを低下させる緩衝資材としての酢液には，粒径がφ＝１ｍｍ以下の固形物しか含まれていないものを利活用する用にしたものである。
【００１０】
本発明の第６は，第１の発明に係る自然由来の酢液を用いた汚泥水処理工法において，汚泥水のｐＨを低下させる緩衝資材としての酢液は，木質系の有機質資材のみならず，魚介類等から抽出した酸性溶液についても利活用するようにしたものである。
【００１１】
本発明の第７は，第１の発明に係る自然由来の酢液を用いた汚泥水処理工法において，第１の発明に係る自然由来の酢液を用いた汚泥水処理工法において、,に発生する汚泥のｐＨ(Ｈ2Ｏ)の測定結果から，アルカリ緩和に用いる酢液使用量を調整するようにしたものである。
【００１２】
本発明の第８は，第１の発明に係る自然由来の酢液を用いた汚泥水処理工法において，対象地に発生する汚泥水を凝集して固めるためには，各々の泥水の状態により酢液の混合量を可変することで対応するようにしたものである。
【発明の効果】
【００１３】
本発明は上記の構成であるから，次の効果がある。すなわち，自然由来の酢液を用いることにより，強アルカリ性の汚泥水の緩和ができ同時に汚泥水のスライムを凝集させることが期待できる。また，このような作用によって，環境に負荷の少ない汚泥を形成することが可能であることから，吸引機とタンクを備えたバキュームカーによる搬出を必要とせず、当該バキュームカーよりコストが低減な荷台を傾けて積荷を下ろすためのダンプトラックによる搬出が可能となった。
【００１４】
また，本発明にあっては，自然由来の酢液を汚泥水に用いて汚泥を形成することから，周辺環境への負荷が少ない肥料としての活用が可能である。
【発明を実施するための最良の形態】
【００１５】
（１）建設汚泥水を固化処理する過程で無機系の固化剤を利用していることから，汚泥水のアルカリ性が更に高まってｐＨで１０以上となっており，このような汚泥を利活用するためにはｐＨを８.６以下に低下させないといけない状態であることを確認した。汚泥水のｐＨを緩和する手法については，工業的に生産された酸性液を混合するが，自然由来でないことからそのままでは再利用できない。
（２）汚泥水を凝集させるためにフライアッシュ等の資材が用いられるが，ｐＨで１０以上であることから汚泥水のアルカリ性は更に高くなる。このようにｐＨが更に高くなることから，炭を製造する過程で抽出される酢液を混合することで，汚泥水のアルカリ緩和とスライムの凝集を同時に実現する。
（３）汚泥水のアルカリ緩和とスライムの凝集を実現する自然由来の酢液は，ｐＨの更に低い酢液を用いることによって，汚泥水に混合する量を調整することが可能である。
（４）酢液については，不純物が入って処理能力が低下することを防ぐために，粒径でφ＝１ｍｍ以上の不純物が混入しないものを用いることで解決している。
【実施例１】
【００１６】
次に，本発明の実施例を説明する。
１は自然由来の酢液，水槽３に入っている建設汚泥水２に自然由来の酢液１を混合する。自然由来の酢液は，水分が８０％以上，有機酸含有量が１％以上でｐＨ(Ｈ2Ｏ)５.０以下，電気伝導度が１.０ｍＳ／ｃｍ以上のものを利活用する。４は混合した汚泥水を混合する攪拌機である。
【００１７】
「具体的な施工例における施工順序」
（１）  水槽３に入っている建設汚泥水２に対して，容量換算で０.５〜３０％の自然由来の酢液１を混合する。
（２）  建設汚泥２に自然由来の酢液１に混合した溶液を攪拌機４で撹拌して，アルカリ性の緩和とスライムの凝集を促進させる。
【産業上の利用可能性】
【００１８】
本発明は，強アルカリ性の液体であることから処理がし難かった建設汚泥に対して，自然由来の酢液を混合することで強アルカリ性の緩和とスライムの凝集を実現し，ダンプトラックでの処理を可能としたことで環境負荷の少ない汚泥処理が実現できる。
【図面の簡単な説明】
【００１９】
【図１】本発明の実施工程を示す概略説明図である。
【符号の説明】
【００２０】
１……自然由来酢液
２……建設汚泥水
３……水槽
４……攪拌機
【図１】
2011212514.tif 000003